(57)【要約】      （修正有）【課題】ハンドル操作抑制状態とするための作業が容易でありながらも，確実にハンドル操作の抑制を行える回路遮断器を提供すること。【解決手段】回路遮断器の外郭を構成する器体１０１に設けられた開口孔１０２から該回路遮断器の接点開閉機構に作用して開路もしくは閉路する操作ハンドル部材１０３の把持部１０４が突出するよう構成された回路遮断器の，前記把持部を前記操作ハンドル部材と着脱可能に構成し，前記回路遮断器の開路状態もしくは閉路状態において，前記把持部を前記操作ハンドル部材から取外すことにより前記回路遮断器の不用な開路操作もしくは閉路操作を防止する構成としたことを特徴として回路遮断器を提供した。【選択図】図１
2008152928.tif 000002
【特許請求の範囲】
【請求項１】
回路遮断器の外郭を構成する器体に設けられた開口孔から該回路遮断器の接点開閉機構に作用して開路もしくは閉路する操作ハンドル部材の把持部が突出するよう構成された回路遮断器の，前記把持部を前記操作ハンドル部材と着脱可能に構成し，前記回路遮断器の開路状態もしくは閉路状態において，前記把持部を前記操作ハンドル部材から取外すことにより，前記回路遮断器の不用な開路操作もしくは閉路操作を防止する構成としたことを特徴とする回路遮断器。
【請求項２】
前記把持部に代えて，開路操作もしくは閉路操作を行うための専用治具を前記操作ハンドル部材と着脱可能に設けて，前記回路遮断器の開路操作もしくは閉路操作を行う場合には前記専用治具を取付けて操作し，該操作後，前記回路遮断器の開路状態もしくは閉路状態において，前記専用治具を前記操作ハンドル部材から取外すことにより前記回路遮断器の不用な開路操作もしくは閉路操作を防止する構成としたことを特徴とする請求項１記載の回路遮断器。
【請求項３】
前記回路遮断器の接点開閉機構と前記専用治具とを着脱可能に構成し，前記回路遮断器の開路操作もしくは閉路操作を行う場合には前記専用治具を取付けて操作し，該操作後，前記回路遮断器の開路状態もしくは閉路状態において，前記専用治具を前記接点開閉機構から取外すことにより前記回路遮断器の不用な開路操作もしくは閉路操作を防止する構成としたことを特徴とする請求項２記載の回路遮断器。
【請求項４】
前記把持部もしくは前記専用治具を取外した際に，前記開口孔を塞ぐ孔塞ぎ部材を設けたことを特徴とする請求項１乃至請求項３記載の回路遮断器。
【請求項５】
前記孔塞ぎ部材は可撓性を有するよう前記器体の一部を延設してなり，前記把持部もしくは前記専用治具を取付けて前記回路遮断器の操作を行う際には開状態とされ，前記把持部もしくは前記専用治具を取外した際には閉状態とされることを特徴とする請求項４記載の回路遮断器。
【発明の詳細な説明】
【技術分野】
【０００１】
この発明は、分電盤に収容される回路遮断器の操作ハンドルを，開路状態もしくは閉路状態に保持し，不用な操作を防止するためのハンドル操作抑制機能を備えた回路遮断器に関するものである。
【背景技術】
【０００２】
また，回路遮断器の操作ハンドルにおける摘まみ部にハンドルロック装置を取り付けて，ケースカバーの開口縁に掛止するようにした構成のロックカバーや，該ロックカバーに別な部品を組み合わせて南京錠が掛けられるように構成したものがある。（例えば特許文献１参照）
【０００３】
また，ハンドルロック装置を操作ハンドルに嵌装させるハンドルキャップと，該ハンドルキャップとは別体のピンで形成したものがある。（例えば特許文献２参照）
【０００４】
【特許文献１】特開平９−２７０２２４号
【特許文献２】特開平１０−２４１５４１号
【発明の開示】
【発明が解決しようとする課題】
【０００５】
第一の背景技術にあっては，回路遮断器への取り付けに手間がかかり，また，操作ハンドルへの取り付けに際して，Ｕ字形のロックカバーを押し広げながら摘まみ部の外側に係止させるように撓み性を持たせた軟質の樹脂成形品で作られているために十分な強度が確保できず，南京錠を掛けない状態では僅かな外力を加えることで簡単にハンドルから外れてしまうなど，その取り扱い性，信頼性に課題があった。
【０００６】
また，第二の背景技術にあっては，ロックピンとハンドルキャップが別体で形成されている場合には，ハンドルキャップを操作ハンドルに嵌挿する工程と，ロックピンで操作ハンドルとハンドルキャップを一体にする工程が別工程で行われるため，作業が煩雑であるという課題があった。
【０００７】
そこで本件の発明の目的とするところは，前述したような課題に鑑みてなされたものであり，
ハンドル操作抑制状態にあっては，前記ハンドルロック装置が外力を加えられることによりハンドルから外れてハンドル操作抑制状態でなくなるようなことがなく，ハンドル操作抑制状態とするための作業が容易でありながらも，確実にハンドル操作の抑制を行える回路遮断器を提供することを目的としている。
【課題を解決するための手段】
【０００８】
上述の目的を達成するために，本発明の請求項１では，回路遮断器の外郭を構成する器体に設けられた開口孔から該回路遮断器の接点開閉機構に作用して開路もしくは閉路する操作ハンドル部材の把持部が突出するよう構成された回路遮断器の，前記把持部を前記操作ハンドル部材と着脱可能に構成し，前記回路遮断器の開路状態もしくは閉路状態において前記把持部を前記操作ハンドル部材から取外すことにより前記回路遮断器の不用な開路操作もしくは閉路操作を防止する構成としたことを特徴として回路遮断器を提供したものである。
【０００９】
これにより、回路遮断器を保持しておきたい状態，即ち開路状態もしくは閉路状態に操作した後に，前記把持部を取外すことにより，該回路遮断器の操作を容易には行うことができなくなり，確実に不用な操作の抑制を行うことができる回路遮断器を提供することができるものである。
【００１０】
また、前記把持部に代えて，開路操作もしくは閉路操作を行うための専用治具を前記操作ハンドル部材と着脱可能に設けて，前記回路遮断器の開路操作もしくは閉路操作を行う場合には前記専用治具を取付けて操作し，該操作後，前記回路遮断器の開路状態もしくは閉路状態において，前記専用治具を前記操作ハンドル部材から取外すことにより前記回路遮断器の不用な開路操作もしくは閉路操作を防止する構成としたことを特徴として回路遮断器を提供してもよい。
【００１１】
これにより，専用治具によってのみ回路遮断器の操作を行えるような該回路遮断器を構成することができるため，確実に不用な操作の抑制を行うことができる回路遮断器を提供することができるものである。
【００１２】
また，前記回路遮断器の接点開閉機構と前記専用治具とを着脱可能に構成し，前記回路遮断器の開路操作もしくは閉路操作を行う場合には前記専用治具を取付けて操作し，該操作後，前記回路遮断器の開路状態もしくは閉路状態において，前記専用治具を前記接点開閉機構から取外すことにより前記回路遮断器の不用な開路操作もしくは閉路操作を防止する構成としたことを特徴として回路遮断器を提供してもよい。
【００１３】
これにより，専用治具によってのみ回路遮断器の操作を行えるような該回路遮断器を構成することができ，特に，操作ハンドルが，接点開閉機構の一部であるハンドル受け部材に作用するよう構成されている早入れ構造を持つ回路遮断器において，確実に不用な操作の抑制を行うことができる回路遮断器を提供することができるものである。
【００１４】
また，前記把持部もしくは前記専用治具を取外した際に，前記開口孔を塞ぐ孔塞ぎ部材を設けたことを特徴として回路遮断器を提供してもよい。
【００１５】
これにより，前記孔塞ぎ部材により開口孔を塞ぐため，器体内部への不用な操作を防止し，より確実に不用な操作の抑制を行うことができる回路遮断器を提供することができるものである。
【００１６】
また，前記孔塞ぎ部材は可撓性を有するよう前記器体の一部を延設してなり，前記把持部もしくは前記専用治具を取付けて前記回路遮断器の操作を行う際には開状態とされ，前記把持部もしくは前記専用治具を取外した際には閉状態とされることを特徴として回路遮断器を提供してもよい。
【００１７】
これにより，孔塞ぎ部材を別体として設けている場合と比較して，該孔塞ぎ部材を紛失する可能性が低減できるとともに，器体内部への不用な操作を防止し，より確実に不用な操作の抑制を行うことができる回路遮断器を提供することができるものである。
【発明の効果】
【００１８】
本発明によれば、ハンドル操作抑制状態とするための作業が容易でありながらも，確実にハンドル操作の抑制を行える回路遮断器を提供することができるという効果を奏する。
【発明を実施するための最良の形態】
【００１９】
以下，本発明の実施の形態について，図１から図５を用いて詳細に説明する。
図１は、本発明の第一の実施例を示した回路遮断器１の外観図を示したものである。
回路遮断器１は，外郭を構成する器体１０１に開口孔１０２が形成され，該開口孔１０２から，該回路遮断器１の接点開閉機構に作用して該接点開閉機構を開路もしくは閉路する操作ハンドル部材１０３が露出するように設けられ，該操作ハンドル部材１０３には把持部１０４が着脱可能に設けられる構成となっている。
【００２０】
器体１０１の一端部には分電盤に設けられる母線に接続され電源が供給される電源側端子部１１が設けられ，他端部には負荷側に電源を供給するための負荷側端子部１２が設けられている。また，該器体１０１内部には，回路に過電流が発生したときなどに，前記接点開閉機構に作用して，該接点開閉機構を釈放し接点を開極させる引外し装置が設けられている。
【００２１】
前記操作ハンドル部材１０３は，前記器体１０１内に前記接点開閉機構の開路状態もしくは閉路状態のあいだで回動自在に設けられており，本実施例の場合は，前記負荷側端子部１２から前記電源側端子部１１の方向に回転させた場合には前記接点開閉機構を閉路し，前記電源側端子部１１から前記負荷側端子部１２の方向に回転させた場合には前記接点開閉機構を開路する構成となっている。
【００２２】
該操作ハンドル部材１０３には，前記回路遮断器１の前記開口孔１０２から臨んだ場合に，把持部１０４の取付部１０４１が取付けられる被取付部１０３１が形成されている。該取付部１０４１と該被取付部１０３１は，互いに対応する関係となっており，ねじ式，嵌合式，挟持式など，把持部１０４を操作ハンドル部材１０３に取付けて操作することが可能な構成となっている。
【００２３】
回路遮断器１の操作方法は次のとおりである。回路遮断器１を操作する場合には，まず，前記把持部１０４を前記操作ハンドル部材１０３に取付ける。次に，該回路遮断器１が所望の状態，即ち，開路状態もしくは閉路状態となるように，該把持部１０４を持って開路操作もしくは閉路操作し，開路状態もしくは閉路状態になるようにする。そして，操作を行った後は，前記把持部１０４を前記操作ハンドル部材１０３から取外す。これにより，必要な場合にだけ，回路遮断器１を操作することが可能となり，その結果，不用なハンドル操作を抑制することが可能となる。取外した前記把持部１０４については，例えば電気工事士などの，回路遮断器の操作を管理する立場にある管理者が保管することにより，より確実に，不用なハンドル操作を抑制することができる。取外した前記把持部１０４については，例えば電気工事士などの，回路遮断器の操作を管理する立場にある管理者が保管することにより，より確実に，不用なハンドル操作を抑制することができる。
【００２４】
なお，閉路状態において，回路に過電流が生じ，回路を遮断すべき状態になったときには，器体１０１内部の前記引外し装置により接点開閉機構を釈放し，接点を開極させるよう動作する。このとき，該接点開閉機構の動作に連動して前記操作ハンドル部材１０３も回動する。該回路遮断器１が開路状態もしくは閉路状態のどちらにあるのかを確認するためには，操作ハンドル部材１０３に設けられた被取付部１０３１の位置が，電源側に位置するか，負荷側に位置するかを目視確認することで判別できる。
【００２５】
次に，本発明の回路遮断器の第二の実施例について図２を用いて説明を行う。
【００２６】
第二の実施例は，第一の実施例の回路遮断器１における把持部１０４に代えて，専用治具２を設けて構成されたものである。該専用治具２の端部には，前記操作ハンドル部材１０３に設けられた被取付部１０３１に取付け可能に取付部２０１が設けられた構成となっている。
【００２７】
第一の実施形態と同様，該取付部２０１と該被取付部１０３１は，互いに対応する関係となっている。なお，該取付部２０１と該被取付部１０３１は，ねじ式，嵌合式，挟持式など，専用治具２を操作ハンドル部材１０３に取付けて，また，前記操作ハンドル部材１０３に前記専用治具２を被せて，操作することが可能な構成としてもよい。
【００２８】
そして，回路遮断器１を操作する場合には，まず，前記専用治具２を前記操作ハンドル部材１０３に取付ける。次に，該回路遮断器１が所望の状態，即ち，開路状態もしくは閉路状態となるように，該専用治具２を持って開路操作もしくは閉路操作し，開路状態もしくは閉路状態になるようにする。そして，操作を行った後は，前記専用治具２を前記操作ハンドル部材１０３から取外す。これにより，必要な場合にだけ，回路遮断器１を操作することが可能となり，その結果，不用なハンドル操作を抑制することが可能となる。取外した前記専用治具２については，例えば電気工事士などの，回路遮断器の操作を管理する立場にある管理者が保管することにより，より確実に，不用なハンドル操作を抑制することができる。
【００２９】
次に，本発明の回路遮断器の第三の実施例について図３を用いて説明を行う。
【００３０】
第三の実施例は，回路遮断器１において，器体１０１の開口孔１０２を覆うように，孔塞ぎ部材３を設けて構成したものである。
【００３１】
該孔塞ぎ部材３は，略薄板状に形成され，略中央部には覆い部が形成され，前記開口孔１０２に取付け可能なように，該開口孔１０２の電源側端縁部に引掛ける端部３０３と，該開口孔１０２の負荷側端縁部に引掛ける突起３０２を形成している。該孔塞ぎ部材３の取付けは，まず，前記突起３０２を前記開口孔１０２の負荷側端縁部に引掛けて，次に前記端部３０３が前記電源側端縁部に引掛かるよう押し込むと，孔塞ぎ部材３自体の弾性により取付け固定される。
【００３２】
前記孔塞ぎ部材３を，回路遮断器１の操作を行った後に，開口孔１０２に取り付けることにより，その回路遮断器１は操作を行ってはならない回路遮断器であることを明示的に認識させることができ，より確実に不用なハンドル操作を抑制することができる。
【００３３】
さらに，前記孔塞ぎ部材３の表面に，「操作禁止」など，操作を行ってはならない回路遮断器であることを明示して構成してもよい。これにより，さらに確実に不用なハンドル操作を抑制することができる。
【００３４】
また，薄板状の孔塞ぎ部材３を湾曲自在に弾性体にて構成するとともに，該孔塞ぎ部材３の表裏両面に回路遮断器１の開閉状態を記載しておき，例えば，片面には「回路遮断器の状態  常時ＯＮのこと」，他方の面には「回路遮断器の状態  常時ＯＦＦのこと」などと記載し，操作を禁止する回路遮断器のＯＮ／ＯＦＦ状態に合わせて適切な記載が表側になるよう湾曲方向を選択して取付けることにより，その回路遮断器が操作禁止であることと，該回路遮断器の状態がＯＮ／ＯＦＦどちらで操作禁止としてあるのかが，一度に把握でき，視認性と作業性のよい回路遮断器を提供することが可能とすることができる。
【００３５】
次に，本発明の回路遮断器の第四の実施例について図４を用いて説明を行う。
【００３６】
第四の実施例は，回路遮断器１において，開口孔１０２を覆う孔塞ぎ部材３を器体１０１の一部を延設して一体に構成したものである。図４に示したように，開口孔１０２の電源側端縁部から負荷側の方向に薄板状の孔塞ぎ部材３を一体形成し，可撓性を持たせて，前記開口孔１０２を覆う閉状態と該開口孔１０２を露出させる開状態との状態をとることができるように構成している。
【００３７】
該孔塞ぎ部材３の端部には，前記開口孔１０２の負荷側端縁部と引掛かり係止するための突起を設けて構成している。これにより，ハンドル操作を抑制するために閉状態とした場合には容易には開状態に戻すことができず，より確実に不用なハンドル操作を抑制することができる。また，前記孔塞ぎ部材１０３を器体１０１と一体に形成しているため，例えば，ハンドル操作を抑制している期間中に紛失してしまうというおそれがなくなり，作業性のよい回路遮断器を提供することができる。
【００３８】
次に，本発明の回路遮断器の第五の実施例について図５を用いて説明を行う。
【００３９】
第五の実施例は，回路遮断器１０の操作ハンドルが，接点開閉機構の一部であるハンドル受け部材１０５に作用するように構成されている早入れ構造を持つ回路遮断器において，該ハンドル受け部材に対して専用治具２を着脱可能に設けたものである。
【００４０】
該専用治具２の端部には，前記ハンドル受け部材１０５に設けられた被取付部１０５１に取付け可能に取付部２０１が設けられ，第二の実施形態と同様，該取付部２０１と該被取付部１０５１は，互いに対応する関係となっている。なお，該取付部２０１と該被取付部１０３１は，ねじ式，嵌合式，挟持式など，専用治具２を操作ハンドル部材１０３に取付けて，また，前記操作ハンドル部材１０３に前記専用治具２を被せて，操作することが可能な構成としてもよい。
【００４１】
回路遮断器１０を操作する場合には，まず，前記専用治具２を前記ハンドル受け部材１０５に取付ける。次に，該回路遮断器１０が所望の状態，即ち，開路状態もしくは閉路状態となるように，該専用治具２を持って開路操作もしくは閉路操作し，開路状態もしくは閉路状態になるようにする。そして，操作を行った後は，前記専用治具２を前記ハンドル受け部材１０５から取外す。これにより，必要な場合にだけ，回路遮断器１０を操作することが可能となり，その結果，不用なハンドル操作を抑制することが可能となる。取外した前記専用治具２については，例えば電気工事士などの，回路遮断器の操作を管理する立場にある管理者が保管することにより，より確実に，不用なハンドル操作を抑制することができる。
【００４２】
このように，本発明の回路遮断器１によれば，ハンドル操作を抑制状態とするための作業が容易であり，取外した把持部や専用治具を紛失してしまうおそれがなく，なおかつ，確実にハンドル操作の抑制を行える回路遮断器を提供することができる
【００４３】
なお、本発明は、開示した実施例に限定されることなく、発明の要旨を逸脱しない限りにおいて、適宜、必要に応じて、改良や設計変更は自由であり、例えば、前記器体１０１と一体に形成された前記孔塞ぎ部材３の延出方向については，第四の実施例で説明した開口孔１０２の電源側端縁部から負荷側の方向に延出させた構成の他，前記開口孔１０２の負荷側端縁部から電源側の方向に延出させた構成としてもよいし，また，該開口孔１０２の左側面もしくは右側面端縁部から回路遮断器１の並設方向に延出させた構成としてもよい。
【００４４】
また，第三の実施例で説明した孔塞ぎ部材３の材料については，樹脂製材料の他，金属を用いて形成してもよい。
【００４５】
また，専用治具２の形状については，実施例で説明した円柱状の形状の他，矩形状や，把持しやすい形状など種々の形状を適用して構成してもよい。
【産業上の利用可能性】
【００４６】
本発明におけるハンドル操作抑制部材は，従来のハンドルロック装置に代えて，分電盤に収容される回路遮断器に適用することができる。
【図面の簡単な説明】
【００４７】
【図１】第一の実施例の回路遮断器の外観図である。
【図２】第二の実施例の回路遮断器の外観図である。
【図３】第三の実施例の回路遮断器の外観図である。
【図４】第四の実施例の回路遮断器の外観図である。
【図５】第五の実施例の回路遮断器の外観図である。
【図６】第一の背景技術の例である。
【図７】第二の背景技術の例である。
【符号の説明】
【００４８】
１  回路遮断器
１０１  器体
１０２  開口孔
１０３  操作ハンドル部材
１０３１  被取付部
１０４  把持部
１０４１  取付部
１０５  ハンドル受け部材
１０５１  被取付部
１０  回路遮断器
１１  電源側端子部
１２  負荷側端子部
２  専用治具
２０１  取付部
３  孔塞ぎ部材
３０１  覆い部
３０２  突起
３０３  端部
【図１】
2008152928.tif 000003
【図２】
2008152928.tif 000004
【図３】
2008152928.tif 000005
【図４】
2008152928.tif 000006
【図５】
2008152928.tif 000007
【図６】
2008152928.tif 000008
【図７】
2008152928.tif 000009